(57)【要約】【課題】  溝路の側壁への固定を簡単かつ確実に行うことができ、その固定状態において側壁上面との間に隙間が生じることがなく、さらに構造が簡単で製作が容易であり、コストを低減し得る溝蓋受枠の固定装置を提供する。【解決手段】  溝路１の側壁２，２の上面に溝蓋４の側縁を支持する水平縁部５を乗載して配設される左右一対の溝蓋受枠３，３において、該溝蓋受枠３，３から溝路１の側壁２，２の外面に沿うようにして夫々下方に垂設された複数のアンカー８を、溝蓋受枠３，３の長手方向に所定間隔で配設し、先端が溝路１の側壁２，２の外面に圧接される複数の螺子杆１０を、前記各アンカー８に形成された螺子孔９に夫々螺合させるとともに、左右の溝蓋受枠３，３の両垂直縁部６，６の内側面に両端が分離可能に接合されて両垂直縁部６，６間に差し渡される複数の支承杆１２を、前記各アンカー８の配設位置に略一致させて配設するようにした。【選択図】    図５
0003112033.tif 000002
【実用新案登録請求の範囲】
【請求項１】
溝蓋の側縁を支持する水平縁部と、該水平縁部の外端から溝蓋の側面に沿って立ち上がる垂直縁部とを備え、溝路を構成する左右の側壁の上面に前記水平縁部を乗載して、該溝路の長手方向に沿って左右一対で配設される溝蓋受枠において、
水平方向の螺子孔が設けられて、左右の溝蓋受枠から溝路の側壁外面に沿うようにして夫々下方に垂設され、溝蓋受枠の長手方向に所定間隔で配設された複数のアンカーと、
前記各アンカーの螺子孔に夫々螺合されて、その先端が溝路の側壁外面に圧接される複数の螺子杆と、
前記各アンカーの配設位置に略一致させて配設され、左右の溝蓋受枠の両垂直縁部の内側面に両端が分離可能に接合されて両垂直縁部間に差し渡された複数の支承杆と
を備えてなることを特徴とする溝蓋受枠の固定装置。
【請求項２】
各支承杆が、所定の縦幅を有する薄肉状帯板材からなり、その縦幅が垂直方向に沿う向きで、垂直縁部の上部位置に配設されていることを特徴とする請求項１記載の溝蓋受枠の固定装置。
【考案の詳細な説明】
【技術分野】
【０００１】
本考案は、Ｕ字溝等の溝路上に被着されるカラー舗装用溝蓋やグレーチング溝蓋等の溝蓋を支持する溝蓋受枠を、溝路の左右側壁上に固定するための溝蓋受枠の固定装置に関する。
【背景技術】
【０００２】
図１０に示すように、Ｕ字溝等の溝路ｄを構成する左右の側壁ｅ，ｅ上に配設されて溝蓋ｆを支持する溝蓋受枠ａ，ａは、水平縁部ｂと垂直縁部ｃとで断面Ｌ形に形成されたものが一般的であり、該溝蓋受枠ａ，ａを側壁ｅ，ｅ上に配設するに際しては、各溝蓋受枠ａの垂直縁部ｃに所定間隔で取り付けられた複数のアンカーｇを、側壁ｅ，ｅの外側部に打設されるコンクリートｈ内に埋入して固結することにより、該アンカーｇを介して溝蓋受枠ａ，ａを側壁ｅ，ｅ上に固定するようにしている。
【０００３】
このような一般的な溝蓋受枠ａ，ａの施工にあっては、コンクリートｈの打設時に該コンクリートｈの流圧によって溝蓋受枠ａ，ａがずれ易いため、該溝蓋受枠ａ，ａ上に重たい石を置いたり、溝蓋ｆをシート等で被覆して汚れないように養生した状態で溝蓋受枠ａ，ａ上に置くなどする便宜的なずれ止め対策を講じなければならなかった。
【０００４】
一方、上記のような便宜的なずれ止め対策の必要がないものとして、溝蓋受枠ａに固定金具を設けたものも知られている。これは本願出願人の製造販売にかかるものであって、図１１に示すように、断面略伏コ字形の鋳造品からなる複数の固定金具ｊを、溝蓋受枠ａの水平縁部ｂの下面に皿ビスｋを用いて取り付けたものであって、各固定金具ｊは、図１２に示すように、溝蓋受枠ａの長手方向に所定間隔で配設される。該固定金具ｊの下方に突出する対向した二側片ｍ，ｎの内、側壁ｅの外側に位置する側片ｍにはボルトｐが螺装されており、側壁ｅの上部に各固定金具ｊを外嵌した状態で、該ボルトｐを締め付け方向に螺回し、その先端を側壁ｅの外面に圧接させることにより、側壁ｅの内面に当接する側片ｎと前記ボルトｐとによる固定金具ｊの挟持作用を介して溝蓋受枠ａを側壁ｅに固定するように構成されている（非特許文献１参照）。
【０００５】
かかる構成からなる溝蓋受枠ａの固定金具ｊにあっては、鋳造品であるため、その天壁部ｔと内側に位置する側片ｎとが成す角度を、側壁ｅの上面と内面とが成す角度に一致させて精度よく形成することができるとともに、鋳造品特有の優れた剛性が得られるので、ボルトｐの締め付け時に、側片ｎが側方に開くように変形することがなく、該側片ｎを側壁ｅの内面に正確に面接触させることができる。これにより、溝蓋受枠ａを側壁ｅにガタ付きなく固定でき、左右の溝蓋受枠ａ，ａを溝蓋ｆの横幅に対応する所定の間隔で保持することができるものとなっている。
【非特許文献１】「カネソウ総合カタログ２００４」，カネソウ株式会社，平成１６年４月，ｐ．６４４（ステンレス製受枠ML60U），ｐ．６４６（Ｕ字溝施工例）
【考案の開示】
【考案が解決しようとする課題】
【０００６】
ところで、上述の先行技術にあっては、固定金具ｊが鋳造品であるので、スチール，ステンレス等で形成される溝蓋受枠ａとの組み付け手段に溶接を用いるとその接合強度が低くなるため、皿ビスｋによる組み付け手段が適用されているのであるが、この皿ビスｋによる組み付け手段は、固定金具ｊの天壁部ｔに螺子孔の形成加工を施す一方、溝蓋受枠ａの水平縁部ｂに皿ビスｋの挿通孔形成加工と該皿ビスｋの頭部を収納する円錐形の座ぐり加工とを施さなければならない上、溝蓋受枠ａの挿通孔に上方から挿通した皿ビスｋを固定金具ｊの螺子孔に螺合して緊締する作業が必要である。このため、組み付けの準備加工及び組み付け作業に手間が掛かり、コストが高いという問題点があった。
【０００７】
また、上記のように溝蓋受枠ａに取り付けられる複数の固定金具ｊは、溝蓋受枠ａの長手方向に所定間隔で配設されるため、該固定金具ｊによって溝蓋受枠ａを溝路ｄの側壁ｅに固定すると、図１２に示すように、固定金具ｊが取り付けられた部分以外の部分では、溝蓋受枠ａの下面と側壁ｅの上面との間に隙間ｓが生じ、周囲に打設されるコンクリートや、舗装材の下部に敷設されるサンドクッションの砂が前記隙間ｓから溝路ｄ内に流出することとなる。このため、前記隙間ｓを埋めるパッキンを溝蓋受枠ａの下面に予め貼着しなければならず、その手間及び材料費によってコストがさらに高くなっていた。
【０００８】
本考案は、かかる問題点を解消するものであって、溝路の側壁への固定を簡単かつ確実に行うことができ、その固定状態において側壁上面との間に隙間が生じることがなく、さらに構造が簡単で製作が容易であり、コストを低減し得る溝蓋受枠の固定装置を提供することを目的とするものである。
【課題を解決するための手段】
【０００９】
本考案は、溝蓋の側縁を支持する水平縁部と、該水平縁部の外端から溝蓋の側面に沿って立ち上がる垂直縁部とを備え、溝路を構成する左右の側壁の上面に前記水平縁部を乗載して、該溝路の長手方向に沿って左右一対で配設される溝蓋受枠において、水平方向の螺子孔が設けられて、左右の溝蓋受枠から溝路の側壁外面に沿うようにして夫々下方に垂設され、溝蓋受枠の長手方向に所定間隔で配設された複数のアンカーと、前記各アンカーの螺子孔に夫々螺合されて、その先端が溝路の側壁外面に圧接される複数の螺子杆と、前記各アンカーの配設位置に略一致させて配設され、左右の溝蓋受枠の両垂直縁部の内側面に両端が分離可能に接合されて両垂直縁部間に差し渡された複数の支承杆とを備えてなることを特徴とする溝蓋受枠の固定装置である。
【００１０】
ここで、溝蓋受枠の材質としてはスチール，ステンレス等の金属が好適に用いられ、アンカーには溝蓋受枠との溶接性に優れた金属からなる帯板材が用いられ得る。このように溝蓋受枠とアンカーに相互の溶接性に優れた金属を用いることにより、溝蓋受枠とアンカーとを溶接によって高い強度で容易に接合することができ、コストの低減が可能となる。また、該アンカーに設けられる水平方向の螺子孔は、帯板材に対するタップ加工により形成され得る。また、支承杆は施工後に除去されるものであって、溝蓋受枠との溶接性に優れた金属からなる杆材が用いられ、その端部の一部のみを垂直縁部の内側面に溶接することにより、分離可能に接合され得る。
【００１１】
前記構成からなる溝蓋受枠の固定装置にあって、各支承杆を、所定の縦幅を有する薄肉状帯板材とし、その縦幅が垂直方向に沿う向きで、垂直縁部の上部位置に配設する構成が提案される。
【考案の効果】
【００１２】
本考案は、上述したように、溝路を構成する左右の側壁の上面に水平縁部を乗載して、溝路の長手方向に沿って左右一対で配設される溝蓋受枠にあって、水平方向の螺子孔が設けられて、左右の溝蓋受枠から溝路の側壁外面に沿うようにして夫々下方に垂設され、溝蓋受枠の長手方向に所定間隔で配設された複数のアンカーと、前記各アンカーの螺子孔に夫々螺合されて、その先端が溝路の側壁外面に圧接される複数の螺子杆と、前記各アンカーの配設位置に略一致させて配設され、左右の溝蓋受枠の両垂直縁部の内側面に両端が分離可能に接合されて両垂直縁部間に差し渡された複数の支承杆とを備えた溝蓋受枠の固定装置であるから、両垂直縁部間に差し渡された複数の支承杆によって一体的に連結された左右の溝蓋受枠を、溝路を構成する左右の側壁上に乗載した状態で、各アンカーの螺子孔に螺合された螺子杆を締め付け方向に螺回して、その先端を溝路の側壁外面に圧接させることにより、左右の側壁の外面に圧接する左右両側の螺子杆による挟持作用を介して、左右の溝蓋受枠を左右の側壁上に簡単に固定することができる。ここで、螺子杆を締め付け方向に螺回して、その先端を溝路の側壁外面に圧接させた場合に、その締め付け力が高まるに伴って、螺子杆が螺合されたアンカーが外側方に傾動し、溝蓋受枠には、側壁上面に当接する水平縁部の内端を支点として溝蓋受枠を内側方向に回転させて、垂直縁部を内側方向に傾斜させようとする力が作用することとなるのであるが、左右の溝蓋受枠の両垂直縁部間に差し渡された各支承杆が、各アンカーの配設位置に略一致させて配設されていることにより、該支承杆の突っ張り作用を介して、垂直縁部の内側方向への傾斜変形を防止することができる。これにより、螺子杆を強く締め付けることができ、溝蓋受枠を側壁上に確実に固定することができる。また、このように、溝蓋受枠を側壁上に固定した状態にあっては、該溝蓋受枠の水平縁部が側壁の上面に当接していることにより、溝蓋受枠と側壁上面との間に隙間が生じることがなく、従来構成で用いられていた隙間を埋めるためのパッキンが不要となる。さらに、アンカー及び支承杆は、溝蓋受枠に対して溶接により取り付け得るので、製作が容易であり、構造が簡単であることと相俟って、従来構成のものに比してコストを大幅に低減することができ、かつ短期納品が可能となる。
【００１３】
また、前記支承杆を、所定の縦幅を有する薄肉状帯板材とし、その縦幅が垂直方向に沿う向きで、垂直縁部の上部位置に配設する構成にあっては、支承杆としてＬ形アングル材や筒状材を用いる場合に比してコストを低減することができるとともに、縦幅が垂直方向に沿う向きで、垂直縁部の上部位置に配設することによって、厚み方向に湾曲し易い薄肉状帯板材であっても、垂直縁部を内側方向に傾斜させようとする力に抗し得る高い突っ張り強度を生じさせることができる。
【考案を実施するための最良の形態】
【００１４】
以下に、本考案にかかる溝蓋受枠の固定装置の第一実施例を、図１〜図６に基づいて説明する。
溝路１は、図１に示すように、Ｕ字溝ブロックや現場で組み付けた型枠へのコンクリートの打設により断面略Ｕ字形に形成されており、この溝路１を構成する左右の側壁２，２の上面に左右一対の溝蓋受枠３，３が該溝路１の長手方向に沿って配設される。該溝蓋受枠３，３は、夫々溝蓋４の側縁を支持する水平縁部５と、該水平縁部５の外端から溝蓋４の側面に沿って立ち上がる垂直縁部６とを備えており、スチール，ステンレス等の金属板を断面Ｌ形に曲成した型材が用いられている。この第一実施例における溝蓋受枠３，３は、比較的厚みが大きいカラー舗装用の溝蓋４に適用されるものであって、前記垂直縁部６の高さ寸法が外側部に敷設されるカラー舗装用ブロック７の厚みより若干大きな寸法となっている。
【００１５】
左右の溝蓋受枠３，３には、溝路１の側壁２，２の外面に沿うようにして夫々下方に垂設された複数のアンカー８が、図２（イ），（ロ）に示すように、溝蓋受枠３，３の長手方向に所定間隔で配設されている。各アンカー８は、溝蓋受枠３，３の材質と同じ金属の帯板材からなり、上端を垂直縁部６の外側面に溶接することにより各溝蓋受枠３，３に固着されている。このように溝蓋受枠３，３とアンカー８を同じ材質の金属とすることにより、溶接によって高い強度で容易に接合することができ、ビス止めに比してコストの低減が可能となる。また、各アンカー８の下端近傍部には、タップ加工によって水平方向の螺子孔９が設けられており、該螺子孔９にボルトからなる螺子杆１０が夫々螺合されている。該螺子杆１０は、締め付け方向の螺回により、その先端が溝路１の側壁２の外面に圧接される。尚、この螺子杆１０には比較的長いものが用いられており、側壁２，２の外側部に打設される固結用コンクリート１１，１１内に埋入して固結することにより、アンカー８とともにアンカー作用を生じ得るものとなっている。
【００１６】
また、左右の溝蓋受枠３，３の両垂直縁部６，６間には、図２（ロ），図３に示すように、前記各アンカー８の配設位置に略一致させて複数の支承杆１２が夫々配設されており、この両垂直縁部６，６間に差し渡された複数の支承杆１２によって左右の溝蓋受枠３，３が、溝蓋４の横幅に対応する間隔で一体的に連結されている。各支承杆１２は、溝蓋受枠３，３の材質と同じ金属で所定の縦幅を有する薄肉状帯板材からなり、両端が溝蓋受枠３，３の両垂直縁部６，６の内側面に分離可能に接合されている。即ち、各支承杆１２は施工後に除去されるものであるため、各支承杆１２の端部は、図４に示すように、垂直縁部６に対して直交状に当接させた状態で、その片側のみを溶接したビード部ｚを介して接合されており、プライヤ等の適宜の工具によって端部近傍を捻ることによって垂直縁部６から容易に分離できるようになっている。また、各支承杆１２は、その縦幅が垂直方向に沿う向きで、垂直縁部６，６の上部位置に配設されている。これにより、厚み方向に湾曲し易い薄肉状帯板材からなる支承杆１２であっても、高い突っ張り強度を生じさせ得るようにしている。
【００１７】
さらに、左右の溝蓋受枠３，３の水平縁部５，５には、図２（ロ）に示すように、斜め方向の補強杆１３，１３が分離可能に接合されている。該補強杆１３，１３は、溝蓋受枠３，３の長手方向に沿う相対的なずれを防止するものであって、施工後に除去される。
【００１８】
次に、溝蓋受枠３，３の施工について説明する。
先ず、予め各アンカー８の螺子杆１０を後退させた状態で、複数の支承杆１２によって一体的に連結された溝蓋受枠３，３の水平縁部５，５を、図５に示すように、側壁２，２上に乗載する。次に、この状態で、各アンカー８の螺子孔９に螺合された螺子杆１０を締め付け方向に螺回して、その先端を溝路１の側壁２，２の外面に圧接させる。これにより、左右の側壁２，２の外面に圧接する左右両側の螺子杆１０によって挟持作用が生じ、該挟持作用を介して、左右の溝蓋受枠３，３を左右の側壁２，２上に簡単に固定することができる。
【００１９】
ここで、仮に複数の支承杆１２が各アンカー８から離れた位置に配設されていたとすると、螺子杆１０を締め付け方向に螺回して、その先端を溝路１の側壁２，２の外面に圧接させた場合に、その締め付け力が高まるに伴って、図６に示すように、螺子杆１０が螺合されたアンカー８が外側方に傾動し、側壁２，２の上面に当接する水平縁部５，５の内端を支点として溝蓋受枠３，３が内側方向に回転して、垂直縁部６，６が内側方向に傾斜することとなるのであるが、本発明にあっては、左右の溝蓋受枠３，３の両垂直縁部６，６間に差し渡された各支承杆１２が、各アンカー８の配設位置に略一致させて配設されていることにより、該支承杆１２の突っ張り作用を介して、垂直縁部６，６の内側方向への傾斜変形を防止することができる。これにより、螺子杆１０を強く締め付けることができ、溝蓋受枠３，３を側壁２，２上に確実に固定することができる。また、このように、溝蓋受枠３，３を側壁２，２上に固定した状態にあっては、該溝蓋受枠３，３の水平縁部５が側壁２，２の上面に当接していることにより、溝蓋受枠３，３と側壁２，２上面との間に従来のような隙間ｓ（図１２参照）が生じることがなく、従来構成で用いられていた隙間を埋めるためのパッキンは不要である。
【００２０】
そして、上記のように溝蓋受枠３，３を溝路１の側壁２，２上に固定した後、各アンカー８の下部の周囲に固結用コンクリート１１，１１（図１参照）を打設する。この時、溝蓋受枠３，３は、上述したように左右両側の螺子杆１０による挟持作用を介して固定されていることにより、固結用コンクリート１１，１１の流圧によって位置ずれを生じることはない。そして、該固結用コンクリート１１，１１が硬化した後、各支承杆１２を除去することにより、溝蓋４（図１参照）が被着可能となる。ここで、各支承杆１２を除去すると、左右両側の螺子杆１０による挟持作用は消失するが、溝蓋受枠３，３は固結用コンクリート１１，１１に固結された各アンカー８を介して側壁２，２上に堅牢に保持されることとなる。また、固結用コンクリート１１，１１が硬化した後、図１に示すように、溝路１の周囲にカラー舗装用ブロック７が敷設されるが、各アンカー８の螺子杆１０が該カラー舗装用ブロック７の下方に位置していることにより、該カラー舗装用ブロック７を垂直縁部６，６に近接させて敷設することができる。
【００２１】
尚、上述した第一実施例では、アンカー８及び支承杆１２に、溝蓋受枠３，３と同じ材質の金属を用いた場合について説明したが、アンカー８と支承杆１２と溝蓋受枠３は、スチール，ステンレス等の溶接性に優れた金属を適宜組み合わせて用いることが可能である。即ち、溝蓋受枠３をステンレスとし、アンカー８及び支承杆１２をスチールとしたり、或いは溝蓋受枠３及びアンカー８をステンレスとし、支承杆１２をスチールとしたり、溝蓋受枠３をスチールとし、アンカー８及び支承杆１２をステンレスとしたり、さらには、溝蓋受枠３及びアンカー８をスチールとし、支承杆１２をステンレスとする等の適宜組み合わせが可能である。
【００２２】
図７〜図９は、第二実施例を示し、この第二実施例における溝蓋受枠３，３は、比較的厚みが薄いグレーチングからなる溝蓋４に適用されるものであって、垂直縁部６，６の高さ寸法が外側部に敷設されるカラー舗装用ブロック７の厚みに比して極めて小さい寸法となっている。
【００２３】
このように垂直縁部６，６の高さ寸法が小さい溝蓋受枠３，３の場合には、該溝蓋受枠３，３から下方に夫々垂設される複数のアンカー８，８が、カラー舗装用ブロック７の下方位置に打設される固結用コンクリート１１，１１まで届くように、比較的長尺に形成され、かつその下端部に側方に突出する係止部８’，８’が設けられる。そして、この係止部８’，８’を固結用コンクリート１１，１１内に埋入して固結することにより、所定のアンカー作用を生じ得るものとしている。また、このように、各アンカー８が長尺であると、撓みやすく、支持強度が低下するため、各アンカー８に螺合される螺子杆１０は、溝蓋受枠３に近いアンカー８の上部近傍位置に配設されている。さらに各螺子杆１０は外端に螺回操作用の六角孔１４（図８参照）を備えた比較的短い螺子杆が用いられており、これによって、図７に示すように、カラー舗装用ブロック７を垂直縁部６，６に近接させて敷設することができるようにしている。
【００２４】
その他の構成は、上述した第一実施例と同じであり、同一部分に同一符号を付して重複する説明を省略する。この第二実施例における溝蓋受枠３，３も第一実施例のものと同様に施工され、上述した作用効果を得ることができる。
【００２５】
このように本考案にあっては、溝路１の側壁２，２への固定を簡単かつ確実に行うことができ、その固定状態において側壁２，２の上面との間に隙間が生じることがないため、該隙間を埋めるパッキンが不要であり、さらに、アンカー８及び支承杆１２は、溝蓋受枠３，３に対して溶接により取り付け得るので、製作が容易であり、構造が簡単であることと相俟って、従来構成のものに比してコストを大幅に低減することができ、かつ短期納品が可能である。
【図面の簡単な説明】
【００２６】
【図１】第一実施例にかかる固定装置を備えた溝蓋受枠３の施工完了状態を示す縦断正面図である。
【図２】（イ）は同上の溝蓋受枠３の側面図、（ロ）はその平面図である。
【図３】同上の溝蓋受枠３の正面図である。
【図４】垂直縁部６に対する支承杆１２の端部の溶接方法を示す説明図である。
【図５】溝蓋受枠３の施工状態を示す縦断正面図である。
【図６】螺子杆１０の締め過ぎによって垂直縁部６，６が内側方向に傾斜する状態を示す説明図である。
【図７】第二実施例にかかる固定装置を備えた溝蓋受枠３の施工完了状態を示す縦断正面図である。
【図８】同上の溝蓋受枠３の正面図である。
【図９】同上の溝蓋受枠３の平面図である。
【図１０】従来の一般的な溝蓋受枠ａ，ａの固定方法を示す説明図である。
【図１１】従来の固定金具ｊを備えた溝蓋受枠ａの施工状態を示す縦断正面図である。
【図１２】同上の固定金具ｊを備えた溝蓋受枠ａの施工状態を示す側面図である。
【符号の説明】
【００２７】
１  溝路
２  側壁
３  溝蓋受枠
４  溝蓋
５  水平縁部
６  垂直縁部
８  アンカー
９  螺子孔
１０  螺子杆
１２  支承杆
【図１】
0003112033.tif 000003
【図２】
0003112033.tif 000004
【図３】
0003112033.tif 000005
【図４】
0003112033.tif 000006
【図５】
0003112033.tif 000007
【図６】
0003112033.tif 000008
【図７】
0003112033.tif 000009
【図８】
0003112033.tif 000010
【図９】
0003112033.tif 000011
【図１０】
0003112033.tif 000012
【図１１】
0003112033.tif 000013
【図１２】
0003112033.tif 000014